(57)【要約】【課題】  改正された規則に違反することなく、振動や衝撃を確実に吸収し、基板実装部品が基板から脱落するのを防止する。【解決手段】  本発明は、遊技機において基板４１に実装される部品５０を支持するための基板実装部品支持用部材７１であって、基板実装部品５０の周囲に支持部材７２が設けられ、支持部材７２と基板実装部品５０との間に弾性部材７３が介装され、基板実装部品５０を支持可能なように構成されていることを特徴とする。【選択図】  図９
2006100496.tif 000002
【特許請求の範囲】
【請求項１】
遊技機において基板に実装される部品を支持するための基板実装部品支持用部材であって、
前記基板実装部品の周囲に支持部材が設けられ、該支持部材と前記基板実装部品との間に弾性部材が介装され、前記基板実装部品を支持可能なように構成されていることを特徴とする基板実装部品支持用部材。
【請求項２】
遊技機において基板に実装される部品を支持するための基板実装部品支持用部材であって、
前記基板実装部品の周囲に弾性材料製の支持部材が設けられ、該支持部材を当接させることにより前記基板実装部品を支持可能なように構成されていることを特徴とする基板実装部品支持用部材。
【請求項３】
前記基板は電源装置の基板であり、前記基板実装部品はコイルである請求項１又は２に記載の基板実装部品支持用部材。
【発明の詳細な説明】
【技術分野】
【０００１】
本発明は、パチンコ遊技機等の遊技機において基板に実装される部品を支持するための基板実装部品支持用部材に関する。
【背景技術】
【０００２】
従来、パチンコ遊技機に代表される遊技機には、遊技機に装備された各種装置に電源を供給したり、或いはそれらの装置を制御したりするために、電源基板や制御基板等の各種基板が配設されている。この種の基板には、コンデンサ、コイル等の各種部品が実装されており、これらの基板実装部品のうち、比較的背の高い部品には、遊技機の搬送時等の振動や衝撃により基板から脱落したりしないように、基板実装部品支持用部材が取り付けられている。
【０００３】
図１０は、従来のこの種の基板実装部品支持用部材の例として、基板１に実装されるコイル２において使用されるシリコン３を示しており、このシリコン３は、コイル２を基板１に半田付け接合した後に、基板１とコイル２との間に介装されるようになっている。そして、基板１とコイル２とはこのシリコン３を介して互いに固着され、このシリコン３により遊技機の搬送時に生じる振動が吸収され、コイル２の基板１との接合箇所４に作用する負荷が軽減され、コイル２が基板１から脱落したり、接合箇所４にクラックが発生したりするのを防止できるようになっている。（公知・公用の従来技術に基づき発明したため、本発明に関連する先行技術文献を出願人は知らない）。
【発明の開示】
【発明が解決しようとする課題】
【０００４】
しかしながら、上記したような従来の基板実装部品支持用部材では、基板の保守点検時に、基板の見通しを妨げ、各種の基板実装部品を目視できないといった問題が生じてきた。
【０００５】
本発明は、上記した課題を解決すべくなされたものであり、基板の保守点検が行ない易く、振動や衝撃を確実に吸収し、基板実装部品が基板から脱落するのを確実に防止することのできる基板実装部品支持用部材を提供しようとするものである。
【課題を解決するための手段】
【０００６】
本発明は、遊技機において基板４１に実装される部品５０を支持するための基板実装部品支持用部材７１であって、基板実装部品５０の周囲に支持部材７２が設けられ、支持部材７２と基板実装部品５０との間に弾性部材７３が介装され、基板実装部品５０を支持可能なように構成されていることを特徴とする。
【０００７】
また、本発明は、遊技機において基板４１に実装される部品５０を支持するための基板実装部品支持用部材７１であって、基板実装部品５０の周囲に弾性材料製の支持部材７２が設けられ、支持部材７２を当接させることにより基板実装部品５０を支持可能なように構成されていることを特徴とする。
【０００８】
また、好ましくは、基板は電源装置３９の基板４１であり、基板実装部品はコイル５０であるのがよい。
【発明の効果】
【０００９】
本発明によれば、基板実装部品支持用部材は弾性を有しているため、搬送時等に基板が振動したとしても、その振動は基板実装部品支持用部材により吸収され、基板実装部品の基板との接合箇所に無理な力が作用することはない。従って、基板実装部品の基板からの脱落やその接合箇所に対するクラックの発生を確実に防止することができ、製品の信頼性を高めることができる。
【００１０】
また、基板実装部品支持用部材をカバー体と基板実装部品との間に介装させた状態では、基板の見通しを妨げることがないため、各種の基板実装部品を確実に目視でき、基板の保守点検を容易に行うことが可能となる等、種々の優れた効果を得ることができる。
【発明を実施するための最良の形態】
【００１１】
以下、図面を参照しつつ、本発明の実施の形態について説明する。なお、以下の説明では、本発明をパチンコ遊技機の電源装置に適用した場合について例示して説明する。
【００１２】
先ず、図１及び図２を参照しつつ、本発明の実施の形態におけるパチンコ遊技機の概略構成について説明する。ここで、図１は本実施の形態におけるパチンコ遊技機を示す正面図、図２はその背面図である。
【００１３】
このパチンコ遊技機は、外郭方形枠サイズに形成されて縦向きの固定保持枠を成す外枠１１の開口前面に、外枠１１に合わせて方形枠サイズに形成された開閉搭載用の前枠１２が、外枠１１の正面左側上下に取り付けられたヒンジ金具１３ａ，１３ｂによって外枠１１に対して開閉可能に取り付けられていると共に、外枠１１の正面右側に設けられた施錠装置１４により閉鎖状態に保持されるようになっている。
【００１４】
前枠１２の上部領域には、遊技盤１５が収容されており、遊技盤１５は、所定板厚の積層合板の表面にセルを貼り付けてルーター加工した化粧版を基板とし、その前面側には、環状に取り付けられたガイドレール１６に囲まれて、略円形状の遊技領域１７が形成されている。遊技領域１７には、その略中央部に画像表示装置１８の表示部１９が配置されており、画像表示装置１８の表示部１９の周りには、センター飾り２０、及び始動入賞口２１や大入賞口２２等がそれぞれ配設されている。また、遊技領域１７の下端部には、アウト口２３が配設されており、始動入賞口２１や大入賞口２２等の入賞装置に入賞せずに落下したアウト球を遊技盤１５の背面側から機外に排出できるようになっている。
【００１５】
前枠１２の前面上部側には、遊技盤１５を視認可能なように透明なガラス板を備えたガラス扉２４が横向き開閉可能且つ着脱可能に取り付けられ、このガラス扉２４は、常には施錠装置１４により遊技盤１５の前面を覆うように閉鎖状態に保持されている。
【００１６】
また、前枠１２の前面下部側であって、ガラス扉２４の下方には、球皿２５が横向き開閉可能且つ着脱可能に取り付けられ、球皿２５は、常には施錠装置（図示せず）により閉鎖状態に保持されている。この球皿２５には、前面側に膨出して球貯留部２６が形成されており、遊技中に払い出される遊技球をこの球貯留部２６に貯留可能となっている。球貯留部２６の正面左側下部には、灰皿２７が着脱可能に設けられており、さらに、球貯留部２６の正面右側下部に、発射ハンドル２８が前方に突出して取り付けられている。そして、発射ハンドル２８を回転操作することにより、球貯留部２６から供給された遊技球が遊技領域１７に発射されるようになっている。
【００１７】
一方、前枠１２の背面側には、裏セット盤２９が複数のレバー３０により着脱可能に設けられており、その裏セット盤２９には、予備賞球を貯留する球貯留タンク３１、遊技球を整列状態で待機させる待機通路３２、遊技盤１５での入賞状態等に基づき賞球を払い出す球払出装置３３、球払出装置３３から払い出された賞球を球皿２５に排出するための球払出通路３４等の賞球装置が装備されている。
【００１８】
さらに、裏セット盤２９には、パチンコ遊技機の作動を統括的に制御する主制御装置３５、画像表示装置１８の裏側に位置して画像表示、効果音等の演出、効果ランプ等の表示制御を行うサブ制御装置３６、球払出装置３３を制御する払出制御装置３７、打球発射装置の発射強度や発射タイミングを制御する発射制御装置３８、及びこれらの各制御装置３５，３６，３７，３８及び電子部品に電力を供給する電源装置３９等がそれぞれ配設されている。
【００１９】
次に、図３及び図４を参照しつつ、本発明の第１の実施の形態における電源装置３９について説明する。ここで、図３は本実施の形態におけるパチンコ遊技機の電源装置を示す平面図、図４は電源装置の基板を示す平面図である。
【００２０】
本実施の形態における電源装置３９は、裏セット盤２９固定される取付ベース体４０と、取付ベース体４０に固定される基板４１と、基板４１の部品実装面４２を覆うように形成されたカバー体４３とから構成されている。
【００２１】
取付ベース体４０は、金属板製で略矩形状に形成されており、左右両側には外側に向かって３個の掛止片部４４と１個の固定片部４５とが延出して形成されている。そして、３個の掛止部４４を裏セット盤２９に形成された掛止溝部４６（図２参照）に掛止すると共に、固定部４５をビス止めすることにより、取付ベース体４０が裏セット盤２９に固定されるようになっている。
【００２２】
また、取付ベース体４０の外周部には、基板４１を収容可能なように外枠部４７が平面部４８（図５及び図６参照）に対して直角に折曲形成されていると共に、４箇所で基板支持部（図示せず）が平面部４８より一段高くなるように折曲形成されている。そして、外枠部４７の内側において基板４１を前記基板支持部にビス止めすると、基板４１は平面部４８との間に所要の空間４９（図５及び図６参照）を開けた状態で取付ベース体４０に固定されるようになっている。
【００２３】
基板４１は、略矩形状を成し、その表面の部品実装面４２には、大、中、小の第１〜第３の３種類のコイル体５０，５１，５２や、各種コンデンサ５３、ヒートシンク５４等の各種部品の他、それらの部品の周囲に各種コネクタ５５、電源スイッチ５６、ヒューズ５７等が配設されている。これらの部品は基板４１の裏面側において半田付け接合されており、第１コイル体５０は、コイル５８の両端部５９，６０によってのみ基板４１に半田付け接合されている。そして、これらの半田付け接合箇所は、取付ベース体４０の平面部４８と基板４１との間に空間４９が形成されているため、取付ベース体４０に干渉することはない。
【００２４】
カバー体４３は、合成樹脂製で基板４１側が開口された箱状を成しており、カバー体４３には多数の各種形状の通気孔６１が形成されている。また、カバー体４３の外周部には、４箇所に固定部６２が形成されており、これらの固定部６２を介してビス止めすることによりカバー体４３が基板４１に固定されるようになっている。そして、第１〜第３コイル５０，５１，５２、各種コンデンサ５３、ヒートシンク５４等の部品はこのカバー体４３の内側に収容され、これらの部品の周囲に配設された各種コネクタ５５、電源スイッチ５６、ヒューズ５７等はカバー体４３の外側に露出するようになっている。さらに、カバー体４３の第１コイル５０に対応する位置には、矩形の挿入窓６３が開口されていると共に、挿入窓６３を閉塞可能な蓋体６４がカバー体４３に対して着脱可能に設けられている。
【００２５】
次に、主に図５及び図６を参照しつつ、本発明の第１の実施の形態に係る基板実装部品支持用部材及びその支持方法について説明する。ここで、図５及び図６はいずれも本実施の形態に係る基板実装部品支持用部材を示す側面図である。
【００２６】
基板実装部品支持用部材６５は、シリコンやエポキシ樹脂等の耐熱性を有する弾性材料製であり、電源装置３９の基板４１に実装された第１コイル体５０の頂部と蓋体６４との間に介装されるようになっている。
【００２７】
そして、この基板実装部品支持用部材６５により第１コイル体５０を支持するには、カバー体４３を基板４１に取り付けた状態において、挿入窓６３から基板実装部品支持用部材６５を第１コイル体５０の頂部に固着させる。その後、挿入窓６３を蓋体６４により閉塞し、基板実装部品支持用部材６５を蓋体６４と第１コイル体５０との間に介装させ、第１コイル体５０を支持させる。上記したように基板実装部品支持用部材６５は弾性を有しているため、搬送時等に基板４１が振動したとしても、その振動は基板実装部品支持用部材６５により吸収され、基板４１に対する第１コイル５０の接合箇所（両端部５９，６０）に無理な力が作用することはない。従って、第１コイル５０の基板４１からの脱落を確実に防止することができると共に接合箇所５９，６０にクラックが発生するのを防止することができ、製品の信頼性を高めることができる。また、このように基板実装部品支持用部材６５をカバー体４３と第１コイル体５０との間に介装させた状態では、基板４１の見通しを妨げることがないため、各種基板実装部品を目視でき、基板の保守点検を容易に行うことができる。
【００２８】
なお、上記第１の実施の形態においては、カバー体４３に挿入窓６３及び蓋体６４を設けているが、これらの挿入窓６３及び蓋体６４をカバー体４３に設けることなく、カバー体４３と第１コイル体５０との間に基板実装部品支持用部材６５を介装させてもよい。この場合、基板実装部品支持用部材６５を取り付けるには、カバー体４３を基板４１に取り付ける前に、カバー体４３の内面の第１コイル体５０に対応する位置に基板実装部品支持用部材６５を予め取り付けておき、そのカバー体４３を基板４１に取り付けることにより、基板実装部品支持用部材６５をカバー体４３と第１コイル体５０との間に介装させ、第１コイル体５０を支持させるようにする。
【００２９】
次に、図７〜図９を参照しつつ、本発明の第２の実施の形態に係る基板実装部品支持用部材及びその支持方法について説明する。ここで、図７は本実施の形態におけるパチンコ遊技機の電源装置を示す平面図、図８は電源装置の基板を示す平面図、図９は本実施の形態に係る基板実装部品支持用部材を示す側面図である。なお、説明の簡略化のため、上記した第１の実施の形態と同様の構成については、図７〜図９中、図３〜図６と同一の符号の付し、その詳細な説明は省略する。
【００３０】
本実施の形態に係る基板実装部品支持用部材７１は、電源装置３９の基板４１に実装された第１コイル体５０の両側に所定の間隔を置いてそれぞれ自立するＬ字型の支持部材７２と、各支持部材７２と第１コイル体５０との間に介装されたシリコンやエポキシ樹脂等の耐熱性を有する弾性材料製の弾性部材７３とから構成されており、カバー体４３に挿入窓６３及び蓋体６４は設けられていない。
【００３１】
そして、この基板実装部品支持用部材７１により第１コイル体５０を支持するには、カバー体４３を基板４１から取り外した状態において、弾性部材７３を支持部材７２と第１コイル体５０の側部との間に介装させ、第１コイル体５０を支持させる。これにより、搬送時等に基板４１が振動したとしても、弾性部材７３の弾性により、その振動を吸収し、基板４１に対する第１コイル５０の接合箇所（両端部５９，６０）に無理な力が作用することはない。従って、第１コイル５０の基板４１からの脱落を確実に防止することができると共に接合箇所５９，６０にクラックが発生するのを防止することができ、製品の信頼性を高めることができる。また、このように弾性部材７３を支持部材７２と第１コイル体５０との間に介装させた状態では、基板４１の見通しを妨げることがないため、各種基板実装部品を目視でき、基板の保守点検を容易に行うことができる。
【００３２】
なお、上記した第２の実施の形態においては、支持部材７２はＬ字型を成しているが、これは単なる例示に過ぎず、門型、鉛直板型等、他の形状を成していてもよい。
【００３３】
また、支持部材７２の設置位置は、第１コイル体５０の周囲であれば、第１コイル５０の前後、上方等、各種変更が可能であり、カバー体４３側に設置することもできる。
【００３４】
さらに、支持部材７２自体を弾性材料製とし、支持部材７２を第１コイル体５０に直接、当接させることにより、第１コイル体５０を支持するようにすることもできる。そして、この場合には、支持部材７２と第１コイル体５０との間に弾性部材７３を介装させる必要がないため、部品点数及び工数の削減が可能となり、コストの低減化を図ることができる。
【００３５】
また、上記した第１及び第２の実施の形態においては、本発明を電源装置３９の基板４１に実装される第１コイル体５０に適用した場合について説明したが、これは単なる例示に過ぎず、本発明は、主制御装置３５の制御基板等に実装されるコンデンサ等、他の基板実装部品にも適用可能である。
【００３６】
さらにまた、本発明は、パチンコ遊技機以外の遊技機にも適用可能であることは言う迄もない。
【図面の簡単な説明】
【００３７】
【図１】本発明の実施の形態におけるパチンコ遊技機を示す正面図である。
【図２】本発明の実施の形態におけるパチンコ遊技機を示す背面図である。
【図３】本発明の第１の実施の形態におけるパチンコ遊技機の電源装置を示す平面図である。
【図４】本発明の第１の実施の形態におけるパチンコ遊技機の電源装置の基板を示す平面図である。
【図５】本発明の第１の実施の形態に係る基板実装部品支持用部材を示す側面図である。
【図６】本発明の第１の実施の形態に係る基板実装部品支持用部材を示す側面図である。
【図７】本発明の第２の実施の形態におけるパチンコ遊技機の電源装置を示す平面図である。
【図８】本発明の第２の実施の形態におけるパチンコ遊技機の電源装置の基板を示す平面図である。
【図９】本発明の第２の実施の形態に係る基板実装部品支持用部材を示す側面図である。
【図１０】従来例を示す側面図である。
【符号の説明】
【００３８】
３９          電源装置
４１          基板
４２          部品実装面
４３          カバー体
５０          第１コイル体
６３          挿入窓
６４          蓋体
６５          基板実装部品支持用部材
７１          基板実装部品支持用部材
７２          支持部材
７３          弾性部材
【図１】
2006100496.tif 000003
【図２】
2006100496.tif 000004
【図３】
2006100496.tif 000005
【図４】
2006100496.tif 000006
【図５】
2006100496.tif 000007
【図６】
2006100496.tif 000008
【図７】
2006100496.tif 000009
【図８】
2006100496.tif 000010
【図９】
2006100496.tif 000011
【図１０】
2006100496.tif 000012